(57)【要約】【課題】鞄の内部に収容されて鞄の内部の収容物を収容可能で、緊急時に護身用の盾として使用可能な収納ボード、収納ボードに使用されるポケット及びこのポケットを備えた収納キットを提供する。【解決手段】収納ボード１は、矩形状の第一主面２１及び第二主面２２を有する基板２と、前記第一主面２１及び前記第二主面２２の少なくともいずれか一方に取り付けられ、内部に収容物Ｓを収容可能かつ外部から内部を視認可能なポケット３と、前記基板２と前記ポケット３との間に設けられ、前記基板２と前記ポケット３とを接合する貼付材と、を備える。【選択図】図１
0003219124.tif 000002
【実用新案登録請求の範囲】
【請求項１】
矩形状の第一主面及び第二主面を有する基板と、
前記第一主面及び前記第二主面の少なくともいずれか一方に取り付けられ、内部に収容物を収容可能かつ外部から内部を視認可能なポケットと、
前記基板と前記ポケットとの間に設けられ、前記基板と前記ポケットとを接合する貼付材と、
を備えることを特徴とする収納ボード。
【請求項２】
前記基板は、前記第一主面及び前記第二主面のいずれか一方側から他方側を視認可能であることを特徴とする請求項１に記載の収納ボード。
【請求項３】
矩形状の第一主面及び第二主面を有する基板と、
前記基板に取り付けられる取付シートと、
前記基板と前記取付シートとを接合する貼付材と、
を備え、
前記取付シートは、
前記第一主面に接合される第一シート本体と、前記第一シート本体に固定され内部に収容物を収容可能かつ外部から内部を視認可能なポケットと、を有する第一取付シートと、
前記第二主面に接合される第二シート本体と、前記第二シート本体に固定され内部に収容物を収容可能かつ外部から内部を視認可能な前記ポケットと、を有する第二取付シートと、
のうち少なくともいずれか一方を有することを特徴とする収納ボード。
【請求項４】
前記基板、前記第一シート本体及び前記第二シート本体は、前記第一主面及び前記第二主面のいずれか一方側から他方側を視認可能であることを特徴とする請求項３に記載の収納ボード。
【請求項５】
前記基板に取り付けられ、前記第一主面及び前記第二主面のいずれか一方側に設けられるとともに握持されることにより前記基板を支持可能な取手部材を備えることを特徴とする請求項１から４のいずれか１項に記載の収納ボード。
【請求項６】
前記基板の外周部を囲むように設けられ、前記基板の端部よりも大きな摩擦係数を有する縁取り部材を備えることを特徴とする請求項１から５のいずれか１項に記載の収納ボード。
【請求項７】
前記基板はポリカーボネートにより形成されていることを特徴とする請求項１から６のいずれか１項に記載の収納ボード。
【請求項８】
前記基板は、厚みが３ｍｍとなるように形成されていることを特徴とする請求項１から７のいずれか１項に記載の収納ボード。
【請求項９】
前記基板は、Ａ４サイズとなるように形成されていることを特徴とする請求項１から８のいずれか１項に記載の収納ボード。
【請求項１０】
前記基板は、Ｂ５サイズとなるように形成されていることを特徴とする請求項１から８のいずれか１項に記載の収納ボード。
【請求項１１】
前記基板を厚み方向から挟持する挟持部と、前記挟持部に接続されるとともに床面に対して前記基板が交差するように前記基板を支持可能な脚部と、を有する保持部材を備えることを特徴とする請求項１から１０のいずれか１項に記載の収納ボード。
【請求項１２】
請求項１、２、５から１１のいずれか１項に記載の収納ボードに取り付けられる前記ポケットであって、
板状のベースと、
前記ベースの厚み方向における一方側に設けられた前記貼付材と、
前記ベースの厚み方向における他方側に取り付けられる固定部と、収容物を収納可能な収納部と、前記収納部から前記収容物を出し入れ可能な開口部と、を有する袋体と、
を備えることを特徴とするポケット。
【請求項１３】
前記収納部は、前記開口部の開口幅を広げるマチ部を有することを特徴とする請求項１２に記載のポケット。
【請求項１４】
前記基板と、
前記ポケットと、
を備え、
前記基板に対して任意の個数及び任意の箇所に前記ポケットを取り付けることにより請求項１、２、５から１１のいずれか１項に記載の収納ボードを構成することを特徴とする収納キット。
【考案の詳細な説明】
【技術分野】
【０００１】
本考案は、収納ボード、ポケット及び収納キットに関するものである。
【背景技術】
【０００２】
従来から、持ち運び可能な荷物入れの内部に収容され、収容物を整理するための収納具が提案されている。
【０００３】
例えば特許文献１には、トランクの内部に収納され、複数の仕切板によってトランク内部の空間を立体的に仕切る整理用仕切り板の構成が開示されている。特許文献１に記載の技術によれば、各仕切板は別個に倒立自在に構成されているので、品物（収容物）のサイズにより適当な仕切板を起立させてトランクに収納することにより、トランク内が複数の空間に分割され、トランク内の種々の品物を固定できる。
【先行技術文献】
【特許文献】
【０００４】
【特許文献１】特開平９−３２７３２２号公報
【考案の概要】
【考案が解決しようとする課題】
【０００５】
しかしながら、上述した特許文献１に記載の技術にあっては、トランクに比べて容積が小さい鞄に用いる場合に、複数の仕切が邪魔になるおそれがある。また、小さな収容物を別個で保持できることができない。
一方で、これらの仕切板は鞄に入れて常に携帯されるものであるため、例えば外出先で事件に巻き込まれた場合に、身を守る護身用の盾としても使用可能であることが望ましい。
したがって、鞄の内部に収容されて鞄の内部の収容物を収容可能で、緊急時に護身用の盾として使用可能な収納ボード、収納ボードに使用されるポケット及びこのポケットを備えた収納キットの提供という点で課題があった。
【０００６】
そこで本考案は、鞄の内部に収容されて鞄の内部の収容物を収容可能で、緊急時に護身用の盾として使用可能な収納ボード、収納ボードに使用されるポケット及びこのポケットを備えた収納キットを提供することを目的とする。
【課題を解決するための手段】
【０００７】
上記の課題を解決するため、本考案の収納ボード（例えば、第１実施形態における収納ボード１）は、矩形状の第一主面（例えば、第１実施形態における第一主面２１）及び第二主面（例えば、第１実施形態における第二主面２２）を有する基板（例えば、第１実施形態における基板２）と、前記第一主面及び前記第二主面の少なくともいずれか一方に取り付けられ、内部に収容物（例えば、第１実施形態における収容物Ｓ）を収容可能かつ外部から内部を視認可能なポケット（例えば、第１実施形態におけるポケット３）と、前記基板と前記ポケットとの間に設けられ、前記基板と前記ポケットとを接合する貼付材（例えば、第１実施形態における貼付材３６）と、を備えることを特徴としている。
【０００８】
本考案によれば、基板にはポケットが取り付けられているので、ポケットの内部に収容物を収容し、かつ外部から内部の収容物を視認できる。これにより、鞄に収納ボードを収容した際に、鞄内部の収容物を個別に収納できるとともに、他の収容物の中から目的の収容物を探して取り出す煩雑さを解消できる。また、基板によって鞄内部の空間が仕切られるので、収容物を整理できる。また、収納ボードを鞄に収容して持ち運ぶことにより、外出先での緊急時に、鞄から取り出した収納ボード又は収納ボードを収容した鞄を護身用の盾として使用できる。
したがって、鞄の内部に収容されて鞄の内部の収容物を収容可能で、緊急時に護身用の盾として使用可能な収納ボードを提供できる。
【０００９】
また、本考案の収納ボードは、前記基板は、前記第一主面及び前記第二主面のいずれか一方側から他方側を視認可能であることを特徴としている。
【００１０】
本考案によれば、基板は、第一主面及び第二主面のいずれか一方側から他方側を視認可能に構成されているので、鞄に収納ボードを収容した場合に、鞄内部における基板を通して鞄内部の空間の一方側と他方側とを同時に視認できる。よって、鞄に収納ボードを収容した状態で、鞄の収容物を容易に探すことができる。したがって、使い勝手の良い収納ボードを提供できる。
【００１１】
また、本考案の収納ボードは、矩形状の第一主面及び第二主面を有する基板と、前記基板に取り付けられる取付シート（例えば、第３実施形態における取付シート６）と、前記基板と前記取付シートとを接合する貼付材と、を備え、前記取付シートは、前記第一主面に接合される第一シート本体（例えば、第３実施形態における第一シート本体６３）と、前記第一シート本体に固定され内部に収容物を収容可能かつ外部から内部を視認可能なポケットと、を有する第一取付シート（例えば、第３実施形態における第一取付シート６１）と、前記第二主面に接合される第二シート本体（例えば、第３実施形態における第二シート本体６４）と、前記第二シート本体に固定され内部に収容物を収容可能かつ外部から内部を視認可能な前記ポケットと、を有する第二取付シート（例えば、第３実施形態における第二取付シート６２）と、のうち少なくともいずれか一方を有することを特徴としている。
【００１２】
本考案によれば、ポケットは取付シートに固定されているので、取付シートを基板に貼り付けるだけで収納ボードを組み立てることができる。したがって、製作が容易かつ鞄の内部に収容されて鞄の内部の収容物を収容可能で、緊急時に護身用の盾として使用可能な収納ボードを提供できる。
【００１３】
また、本考案の収納ボードは、前記基板、前記第一シート本体及び前記第二シート本体は、前記第一主面及び前記第二主面のいずれか一方側から他方側を視認可能であることを特徴としている。
【００１４】
本考案によれば、基板、第一シート本体及び第二シート本体は、第一主面及び第二主面のいずれか一方側から他方側を視認可能に構成されているので、鞄に収納ボードを収容した場合に、鞄内部における基板及びシート本体を通して鞄内部の空間の一方側と他方側とを同時に視認できる。よって、鞄に収納ボードを収容した状態で、鞄の収容物を容易に探すことができる。したがって、使い勝手の良い収納ボードを提供できる。
【００１５】
また、本考案の収納ボードは、前記基板に取り付けられ、前記第一主面及び前記第二主面のいずれか一方側に設けられるとともに握持されることにより前記基板を支持可能な取手部材（例えば、第１実施形態における取手部材４）を備えることを特徴としている。
【００１６】
本考案によれば、収納ボードは取手部材を有するので、鞄から取り出した場合に、取手部材を掴んで収納ボードを保持できる。これにより、収納ボードを護身用の盾として使用することができる。また、取手部材は第一主面及び第二主面のいずれか一方側に設けられているので、取手部材の取り付けられていない他方側を相手側に向けることで、手を安全に保護できる。したがって、緊急時に護身用の盾として使用可能な収納ボードを提供できる。
【００１７】
また、本考案の収納ボードは、前記基板の外周部を囲むように設けられ、前記基板の端部よりも大きな摩擦係数を有する縁取り部材（例えば、第１実施形態における縁取り部材２４）を備えることを特徴としている。
【００１８】
本考案によれば、縁取り部材は、床面に対して、基板の端部よりも高い摩擦係数を有するので、収納ボードを壁と床面との間に立て掛けて使用する際に、収納ボードが床面上を滑ることを抑制できる。したがって、使い勝手のよい収納ボードを提供できる。
【００１９】
また、本考案の収納ボードは、前記基板はポリカーボネートにより形成されていることを特徴としている。
【００２０】
本考案によれば、基板はポリカーボネートにより形成されているので、軽量で持ち運びが容易な収納ボードとすることができる。また、高い強度を有するので、盾として使用する場合の安全性を向上できる。したがって、軽量で高強度な収納ボードとすることができる。
【００２１】
また、本考案の収納ボードは、前記基板は、厚みが３ｍｍとなるように形成されていることを特徴としている。
【００２２】
本考案によれば、基板の厚みが３ｍｍとなるように形成されているので、軽量化と高強度化を両立した収納ボードとすることができる。
【００２３】
また、本考案の収納ボードは、前記基板は、Ａ４サイズとなるように形成されていることを特徴としている。
【００２４】
本考案によれば、Ａ４サイズ対応の鞄に好適に用いることができる収納ボードとすることができる。
【００２５】
また、本考案の収納ボードは、前記基板は、Ｂ５サイズとなるように形成されていることを特徴としている。
【００２６】
本考案によれば、Ｂ５サイズ対応の鞄に好適に用いることができる収納ボードとすることができる。
【００２７】
また、本考案の収納ボードは、前記基板を厚み方向から挟持する挟持部（例えば、第２実施形態における挟持部５１）と、前記挟持部に接続されるとともに床面（例えば、第２実施形態における床面Ｆ）に対して前記基板が交差するように前記基板を支持可能な脚部（例えば、第２実施形態における脚部５２）と、を有する保持部材（例えば、第２実施形態における保持部材５）を備えることを特徴としている。
【００２８】
本考案によれば、保持部材により収納ボードを床面に対して起立させることができる。また、挟持部で基板を挟むことにより基板を保持することができるので、簡素な構成により保持部材を形成できる。したがって、簡素な構成により収納ボードの利便性を向上することができる。
【００２９】
また、本考案のポケットは、上述した収納ボードに取り付けられる前記ポケットであって、板状のベース（例えば、第１実施形態におけるベース３５）と、前記ベースの厚み方向における一方側に設けられた前記貼付材と、前記ベースの厚み方向における他方側に取り付けられる固定部（例えば、第１実施形態における固定部３７ｂ）と、収容物を収納可能な収納部（例えば、第１実施形態における収納部３７ａ）と、前記収納部から前記収容物を出し入れ可能な開口部（例えば、第１実施形態における開口部３７ｃ）と、を有する袋体（例えば、第１実施形態における袋体３７）と、を備えることを特徴としている。
【００３０】
本考案によれば、収納部により収容物を個別に保持できる。また、ポケットは基板と別体とされているので、基板に対して所望の大きさ及び個数のポケットを基板に取り付けることにより、使用者個人の用途に合わせて好適に使用できる。また、ポケットは貼付材を有するので、ポケットを容易に基板に張り付けることができる。したがって、製作が容易な収納ボードを提供できる。
【００３１】
また、本考案のポケットは、前記収納部は、前記開口部の開口幅を広げるマチ部（例えば、第１実施形態におけるマチ部３７ｄ）を有することを特徴としている。
【００３２】
本考案によれば、マチ部により開口部が広げられるので、収容物の出し入れがしやすくなる。また、マチ部により収納部内部の体積が増加するので、様々な大きさの収容物に対応できる。よって、様々な収容物を好適に収納できるポケットとすることができる。
【００３３】
また、本考案の収納キット（例えば、第１実施形態における収納キット１０）は、前記基板と、前記ポケットと、を備え、前記基板に対して任意の個数及び任意の箇所に前記ポケットを取り付けることにより上述した収納ボードを構成することを特徴としている。
【００３４】
本考案によれば、基板に対して任意の個数及び任意の箇所にポケットを取り付けることができるので、様々な用途に合わせて所望の収納ボードを作成できる。したがって、使用者個人の用途に合わせて仕様を変更可能で、使い勝手のよい収納ボードを製作可能な収納キットを提供できる。
【考案の効果】
【００３５】
本考案によれば、基板にはポケットが取り付けられているので、ポケットの内部に収容物を収容し、かつ外部から内部の収容物を視認できる。これにより、鞄に収納ボードを収容した際に、鞄内部の収容物を個別に収納できるとともに、他の収容物の中から目的の収容物を探して取り出す煩雑さを解消できる。また、基板によって鞄内部の空間が仕切られるので、収容物を整理できる。また、収納ボードを鞄に収容して持ち運ぶことにより、外出先での緊急時に、鞄から取り出した収納ボード又は収納ボードを収容した鞄を護身用の盾として使用できる。
したがって、鞄の内部に収容されて鞄の内部の収容物を収容可能で、緊急時に護身用の盾として使用可能な収納ボードを提供できる。
【図面の簡単な説明】
【００３６】
【図１】第１実施形態に係る収納ボードの外観斜視図。
【図２】第１実施形態に係る収納ボードの正面図。
【図３】第１実施形態に係る第一ポケットの外観斜視図。
【図４】第１実施形態に係る第二ポケットの外観斜視図。
【図５】第１実施形態に係る第三ポケットの外観斜視図。
【図６】第１実施形態に係る第四ポケットの外観斜視図。
【図７】第２実施形態に係る収納ボードの外観斜視図。
【図８】第２実施形態に係る鞄収容時における収納ボードの正面図。
【図９】第３実施形態に係る収納ボードの分解図。
【考案を実施するための形態】
【００３７】
以下、本考案の実施形態を図面に基づいて説明する。なお、以下の説明では、略同一または類似の機能を有する構成に同一の符号を付す。そして、それらの重複する説明は省略する場合がある。
【００３８】
（第１実施形態）
図１は、収納ボード１の外観斜視図である。図２は、収納ボード１の正面図である。
収納ボード１は、鞄Ｂに収容されて鞄Ｂ内部の空間を仕切るとともに、鞄Ｂ内部の収容物Ｓを個別に保持することにより、鞄Ｂ内部の整理及び収容物の取り出しを容易に行えるようにするものである。
【００３９】
収納ボード１は、基板２と、ポケット３と、取手部材４と、を備える。
【００４０】
基板２は、平面視で短辺と長辺とを有する矩形板状に形成されている。基板２は、第一主面２１と、第二主面２２と、を有する。基板２は、光透過性を有しており、第一主面２１及び第二主面２２のいずれか一方側から他方側を視認可能に構成されている。本実施形態の基板２は、無色透明なポリカーボネートにより形成されている。基板２は、厚みが３ｍｍとなるように形成されている。基板２は、Ａ４サイズとなるように形成されている。
基板２は、取付孔２３と、縁取り部材２４と、を有する。
【００４１】
取付孔２３は、基板２の中央部分に設けられている。取付孔２３は、板厚方向に貫通している。取付孔２３は、基板２の短辺方向に沿って２つ形成されている。
縁取り部材２４は、基板２の外周部を囲むように設けられている。縁取り部材２４の摩擦係数は、基板２の端部における摩擦係数よりも大きい。縁取り部材２４は、例えば粘着テープである。
【００４２】
ポケット３は、第一主面２１及び第二主面２２の少なくともいずれか一方に取り付けられ、内部に収容物Ｓを収容可能かつ外部から内部を視認可能に構成されている。本実施形態において、ポケット３は、第一主面２１に設けられている。ポケット３は、第一ポケット３１と、第二ポケット３２と、第三ポケット３３と、第四ポケット３４と、を有する。以降の説明において、基板２の短辺に沿う方向を上下方向、長辺に沿う方向を左右方向とし、左右方向は第一主面２１から正面視したときの左右方向と一致する。
図３は、第一ポケット３１の外観斜視図である。第一ポケット３１は、ベース３５と、貼付材３６と、袋体３７と、により構成されている。
【００４３】
ベース３５は、矩形板状に形成されている。ベース３５は、例えば光透過性を有する樹脂材料により形成されており、一方の面から他方の面を視認可能に構成されている。
貼付材３６は、ベース３５の一方の面に設けられている。貼付材３６は、基板２の第一主面２１とベース３５とを接合している。
【００４４】
袋体３７は、ベース３５の他方の面に取り付けられている。袋体３７は、収納部３７ａと、固定部３７ｂと、開口部３７ｃと、を有する。
【００４５】
収納部３７ａは、ベース３５との間に、収容物Ｓを収容可能な空間を形成している。収容物Ｓは、例えば手帳などである。収納部３７ａは、正面から見てベース３５よりもひとまわり小さい。収納部３７ａは矩形状に形成されている。収納部３７ａは、正面から見て例えば高さが１７０ｍｍ、幅が９０ｍｍとなるように形成されている。収納部３７ａの左辺、右辺及び下辺にはマチ部３７ｄが設けられている。マチ部３７ｄは、開口部３７ｃの開口幅を広げように形成されている。収納部３７ａの左下及び右下に位置する角部には、切欠き３７ｆが形成されている。収納部３７ａの上辺には凹部３７ｅが形成されている。凹部３７ｅは複数（本実施形態では２個）形成されている。
【００４６】
固定部３７ｂは、ベース３５における貼付材３６が設けられた面と反対側の面に固定されている。固定部３７ｂは、収納部３７ａの左辺、右辺及び下辺に設けられている。固定部３７ｂは、マチ部３７ｄに接続されている。
開口部３７ｃは、収納部３７ａの上辺に設けられている。開口部３７ｃは、収納部３７ａから収容物Ｓを出し入れ可能にしている。
【００４７】
図４から図６は、第二から第四ポケット３２，３３，３４のそれぞれの外観斜視図である。第二から第四ポケット３２，３３，３４は、それぞれ第一ポケット３１と構成が同じで大きさが異なる。
本実施形態において、第二ポケット３２の収納部３７ａは、例えば高さが８０ｍｍ、幅が１１０ｍｍとなるように形成されている。第二ポケット３２の収納部３７ａは、例えば手鏡や口紅等を収容するのに好適である。第三ポケット３３の収納部３７ａは、例えば高さが１３０ｍｍ、幅が２５ｍｍとなるように形成されている。第三ポケット３３の収納部３７ａは、例えばペンや物差し等を収容するのに好適である。第四ポケット３４の収納部３７ａは、例えば高さが５５ｍｍ、幅が９０ｍｍとなるように形成されている。第四ポケット３４の収納部３７ａは、例えば薬や鍵等を収容するのに好適である。
【００４８】
図１に戻って、取手部材４は、基板２の中央部分に設けられている。取手部材４は、基板２の取付孔２３に取り付けられている。取手部材４は、伸縮性を有する部材により構成されている。取手部材４は、例えばゴムバンドである。取手部材４は、握持部４１と、留具４３と、を有する。
【００４９】
握持部４１は、第一主面２１及び第二主面２２のいずれか一方側に設けられるとともに使用者に握持されることにより基板２を支持している。本実施形態において、握持部４１は、基板２の第二主面２２側に設けられている。握持部４１は、２つの取付孔２３の間を延在している。握持部４１の両端部は、それぞれ延在方向に折り返された折返し端部４１ａとされている。
留具４３は、第一主面２１及び第二主面２２において、取付孔２３に対応する位置に設けられている。第二主面２２側に設けられた留具４３は、折返し端部４１ａに形成された孔（不図示）及び取付孔２３を貫通して第一主面２１に設けられた留具４３と係合している。このように、留具４３で基板２と握持部４１とを挟み込むことにより、握持部４１が基板２に固定されている。なお、取手部材４は、例えば握持部４１の両端部が取付孔２３を通って第一主面２１側に突出した部分に、取付孔２３の直径よりも大きな引掛部を有することにより基板２に取り付けられていてもよい。すなわち、握持部４１が第一主面２１及び第二主面２２のいずれか一方側に設けられていれば、取手部材４の固定方法は上述した以外の固定方法であってもよい。
【００５０】
収納キット１０は、縁取り部材２４及び取手部材４を備えた基板２と、ポケット３と、を有する。ポケット３は、第一ポケット３１と、第二ポケット３２と、第三ポケット３３と、第四ポケット３４と、を有する。なお、ポケット３の個数は本実施形態に限定されることはなく、第一ポケット３１と、第二ポケット３２と、第三ポケット３３と、第四ポケット３４と、のうち少なくとも１個を有していればよい。
使用者は、基板２と、所望のポケット３と、を購入する。使用者は、基板２の第一主面２１に対して、所望の箇所及び個数のポケット３を取り付ける。これにより、使用者個人の用途に合わせて仕様を変更可能な収納ボード１を製作することができる。
【００５１】
なお、本実施形態では、ポケット３は第一主面２１に設けられる構成としたが、これに限らない。ポケット３は、第二主面２２にのみ設けられていてよいし、第一主面２１及び第二主面２２の両面に設けられていてもよい。
上述のように構成された収納キット１０は、図１に示すように、ポケットの開口部３７ｃを鞄Ｂの開口側に向けた状態で鞄Ｂに収容される。
【００５２】
（作用、効果）
次に、収納ボード１の作用、効果について説明する。
第１実施形態の収納ボード１によれば、基板２にはポケット３が取り付けられているので、ポケット３の内部に収容物Ｓを収容し、かつ外部から内部の収容物Ｓを視認できる。これにより、鞄Ｂに収納ボード１を収容した際に、鞄Ｂ内部の収容物Ｓを個別に収納できるとともに、他の収容物Ｓの中から目的の収容物Ｓを探して取り出す煩雑さを解消できる。また、基板２によって鞄Ｂ内部の空間が仕切られるので、収容物Ｓを整理できる。また、収納ボード１を鞄Ｂに収容して持ち運ぶことにより、外出先での緊急時に、鞄Ｂから取り出した収納ボード１又は収納ボード１を収容した鞄Ｂを護身用の盾として使用できる。
したがって、鞄Ｂの内部に収容されて鞄Ｂの内部の収容物Ｓを収容可能で、緊急時に護身用の盾として使用可能な収納ボード１を提供できる。
【００５３】
また、基板２は、第一主面２１及び第二主面２２のいずれか一方側から他方側を視認可能に構成されているので、鞄Ｂに収納ボード１を収容した場合に、鞄Ｂ内部における基板２を通して鞄Ｂ内部の空間の一方側と他方側とを同時に視認できる。よって、鞄Ｂに収納ボード１を収容した状態で、鞄Ｂの収容物Ｓを容易に探すことができる。したがって、使い勝手の良い収納ボード１を提供できる。
【００５４】
収納ボード１は取手部材４を有するので、鞄Ｂから取り出した場合に、取手部材４を掴んで収納ボード１を保持できる。これにより、収納ボード１を護身用の盾として使用することができる。また、握持部４１は第一主面２１及び第二主面２２のいずれか一方側に設けられているので、握持部４１の取り付けられていない他方側を相手側に向けることで、使用者の手を安全に保護できる。したがって、緊急時に護身用の盾として使用する場合の安全性を向上できる。
【００５５】
また、縁取り部材２４は、床面に対して、基板２の端部よりも高い摩擦係数を有するので、収納ボード１を壁と床面との間に立て掛けて使用する際に、収納ボード１が床面上を滑ることを抑制できる。したがって、収納ボード１の使い勝手を向上できる。
【００５６】
本構成によれば、基板２はポリカーボネートにより形成されているので、軽量で持ち運びが容易な収納ボード１とすることができる。また、高い強度を有するので、盾として使用する場合の安全性を向上できる。したがって、軽量で高強度な収納ボード１とすることができる。
【００５７】
また、基板２の厚みが３ｍｍとなるように形成されているので、軽量化と高強度化を両立した収納ボード１とすることができる。
【００５８】
また、基板２は、Ａ４サイズとなるように形成されているので、Ａ４サイズ対応の鞄Ｂに好適に用いることができる収納ボード１とすることができる。
【００５９】
第１実施形態のポケット３によれば、ポケット３は、ベース３５と、貼付材３６と、固定部３７ｂと収納部３７ａと開口部３７ｃとを有する袋体３７と、により構成されているので、収納部３７ａにより収容物Ｓを個別に保持できる。また、ポケット３は基板２と別体とされているので、基板２に対して所望の大きさ及び個数のポケット３を基板２に取り付けることにより、使用者個人の用途に合わせて好適に使用できる。また、ポケット３は貼付材３６を有するので、ポケット３を容易に基板２に張り付けることができる。したがって、製作が容易な収納ボード１を提供できる。
【００６０】
また、収納部３７ａはマチ部３７ｄを有し、マチ部３７ｄにより開口部３７ｃが広げられるので、収容物Ｓの出し入れがしやすくなる。また、マチ部３７ｄにより収納部３７ａ内部の体積が増加するので、様々な大きさの収容物Ｓに対応できる。よって、様々な収容物Ｓを好適に収納できるポケット３とすることができる。
【００６１】
第１実施形態の収納キット１０によれば、基板２に対して任意の個数及び任意の箇所にポケット３を取り付けることができるので、様々な用途に合わせて所望の収納ボード１を作成できる。したがって、使用者個人の用途に合わせて仕様を変更可能で、使い勝手のよい収納ボード１を製作可能な収納キット１０を提供できる。
【００６２】
（第２実施形態）
次に、本考案に係る第２実施形態について説明する。本実施形態では、保持部材５を有する点で上述した実施形態と相違している。
図７は、本考案の第２実施形態に係る収納ボード１の外観斜視図である。図８は、鞄Ｂ収容時における、保持部材５を有する収納ボード１の正面図である。以下の説明において、上述した第１実施形態と同様の構成については、同一の符号を付して適宜説明を省略する。また、図７に記載された以外の構成に係る符号については、適宜図１から図３を参照されたい。
【００６３】
図７に示すように、収納ボード１は、基板２の短辺が床面Ｆと直交する状態で、床面Ｆに載置されている。収納ボード１は、保持部材５を有する。保持部材５は、基板２に脱着自在に構成されている。本実施形態において、保持部材５は、基板２の下方の２箇所に設けられている。保持部材５は、挟持部５１と、脚部５２と、を有する。
挟持部５１は、基板２を厚み方向から挟持している。脚部５２は、挟持部５１に接続されている。脚部５２は、床面Ｆに対して基板２が直立するように基板２を支持している。脚部５２は、第一主面２１側及び第二主面２２側からそれぞれ床面Ｆまで延びている。脚部５２は、挟持部５１に対して回動可能に構成されている。
図８に示すように、収納ボード１を鞄Ｂに収容する際、挟持部５１は、基板２の側方において基板２を挟持している。一対の脚部５２は、挟持部５１に対して回動することにより、第一主面２１及び第二主面２２に沿うように配置されている。
保持部材５としては、例えばバインダークリップが好適に用いられる。
【００６４】
この構成によれば、収納ボード１は保持部材５を備えるので、保持部材５により収納ボード１を床面Ｆに対して起立させることができる。また、挟持部５１で基板２を挟むことにより基板２を保持することができるので、簡素な構成により保持部材５を脱着できる。したがって、簡素な構成により収納ボード１の使い勝手を向上することができる。
【００６５】
（第３実施形態）
次に、本考案に係る第３実施形態について説明する。本実施形態では、取付シート６を有する点で上述した実施形態と相違している。
図９は、本考案の第２実施形態に係る収納ボード１の分解図である。以下の説明において、上述した第１実施形態と同様の構成については、同一の符号を付して適宜説明を省略する。また、図９に記載された以外の構成に係る符号については、適宜図１から図３を参照されたい。
【００６６】
図９に示すように、収納ボード１は、基板２と、取付シート６と、を有する。取付シート６は、基板２に取り付けられている。取付シート６は、第一取付シート６１と、第二取付シート６２と、を有する。
【００６７】
第一取付シート６１は、基板２の第一主面２１に取り付けられる。第一取付シート６１は、第一シート本体６３と、貼付材３６と、ポケット３と、を有する。
第一シート本体６３は、平面視で基板２と同じ大きさとなるように形成されている。第一シート本体６３は、第一主面２１及び第二主面２２のいずれか一方側から他方側を視認可能に構成されている。貼付材３６は、第一シート本体６３における一方の面に設けられている。貼付材３６は、第一シート本体６３と基板２とを接合している。ポケット３は、第一シート本体６３における他方の面に設けられている。ポケット３は、第一ポケット３１と、第二ポケット３２と、第三ポケット３３と、第四ポケット３４と、を有する。各ポケット３は、袋体３７を有する。各ポケット３の袋体３７は、例えば縫い付けや粘着剤によって第一シート本体６３に直接固定されている。
【００６８】
第二取付シート６２は、基板２の第二主面２２に取り付けられる。第二取付シート６２は、第二シート本体６４と、貼付材３６と、ポケット３と、を有する。
第二シート本体６４は、基板２と同じ大きさとなるように形成されている。第二シート本体６４は、第一主面２１及び第二主面２２のいずれか一方側から他方側を視認可能に構成されている。貼付材３６は、第二シート本体６４における基板２との対向側の面に設けられている。貼付材３６は、第二シート本体６４と基板２とを接合している。ポケット３は、２つの第五ポケット３８を有する。第五ポケット３８は、第一から第四ポケット３１，３２，３３，３４よりも大きい。各第五ポケット３８は、袋体３７を有する。各第五ポケット３８の袋体３７は、例えば縫い付けや粘着剤によって第二シート本体６４に直接固定されている。
【００６９】
なお、本実施形態では、基板２の第一主面２１側に第一取付シート６１が設けられ、基板２の第二主面２２側に第二取付シート６２が設けられる構成としたが、これに限られない。第一主面２１及び第二主面２２のいずれか片面のみに取付シート６が設けられていてもよい。また、第一主面２１及び第二主面２２の両面に第一取付シート６１が設けられていてもよく、第一主面２１及び第二主面２２の両面に第二取付シート６２が設けられていてもよい。
【００７０】
この構成によれば、第１実施形態と同様の作用、効果を奏することに加え、ポケット３は取付シート６に固定されているので、取付シート６を基板２に貼り付けるだけで収納ボード１を組み立てることができる。したがって、製作が容易な収納ボード１を提供できる。
また、基板２、第一シート本体６３及び第二シート本体６４は、第一主面２１及び第二主面２２のいずれか一方側から他方側を視認可能に構成されているので、鞄Ｂに収納ボード１を収容した場合に、鞄Ｂ内部における基板２、第一シート本体６３及び第二シート本体６４を通して鞄Ｂ内部の空間の一方側と他方側とを同時に視認できる。よって、鞄Ｂに収納ボード１を収容した状態で、鞄Ｂの収容物Ｓを容易に探すことができる。したがって、使い勝手の良い収納ボード１を提供できる。
【００７１】
なお、本考案の技術範囲は上述した実施形態に限定されるものではなく、本考案の趣旨を逸脱しない範囲において種々の変更を加えることが可能である。
【００７２】
上述の実施形態の収納ボード１では、基板はＡ４サイズとなるように形成されているが、Ｂ５サイズなど、他の大きさとなるように形成されてもよい。
ポケットの配置、個数、形状、及び大きさは、設計事項として適宜変更可能である。
【００７３】
また、縁取り部材２４を設ける代わりに、基板２の端部に凹凸形状等を加工することによって摩擦係数を高めて滑り止め効果を奏する構成としてもよい。
【００７４】
その他、本考案の趣旨を逸脱しない範囲で、上述した実施形態における構成要素を周知の構成要素に置き換えることは適宜可能であり、また、上述した各変形例を適宜組み合わせてもよい。
【符号の説明】
【００７５】
１…収納ボード
２…基板
３…ポケット
４…取手部材
５…保持部材
６…取付シート
１０…収納キット
２１…第一主面
２２…第二主面
２４…縁取り部材
３５…ベース
３６…貼付材
３７…袋体
３７ａ…収納部
３７ｂ…固定部
３７ｃ…開口部
３７ｄ…マチ部
５１…挟持部
５２…脚部
６１…第一取付シート
６２…第二取付シート
６３…第一シート本体
６４…第二シート本体
Ｓ…収容物
【図１】
0003219124.tif 000003
【図２】
0003219124.tif 000004
【図３】
0003219124.tif 000005
【図４】
0003219124.tif 000006
【図５】
0003219124.tif 000007
【図６】
0003219124.tif 000008
【図７】
0003219124.tif 000009
【図８】
0003219124.tif 000010
【図９】
0003219124.tif 000011